(57)【要約】      （修正有）【課題】従来よりも簡易に製造することができ、利用者においても極めて容易に写真類を挟んで使用することができる利便性にすぐれた額縁を提供する。【解決手段】写真類を表示するための窓１２を備えた表面板１と、この表面板１の裏側に配置される裏面板２とを連結部３により相互に折り曲げ可能に連結してなり、前記表面板１と裏面板２との間に写真類を挟んで使用する額縁Ａであって、表面板１と裏面板２の少なくとも一方に磁石Ｊを配し、他方の板における磁石Ｊと対向する位置に磁石Ｊと引き合う磁性体ＪＳＩを配してなるものとした。【選択図】図２
0003147159.tif 000002
【実用新案登録請求の範囲】
【請求項１】
写真類を表示するための窓を備えた表面板と、この表面板の裏側に配置される裏面板とを連結部により相互に折り曲げ可能に連結してなり、前記表面板と裏面板との間に写真類を挟んで使用する額縁であって、
前記表面板と前記裏面板の少なくとも一方に磁石を配し、他方の板における前記磁石と対向する位置に前記磁石と引き合う磁性体を配してなることを特徴とする額縁。
【請求項２】
前記磁石がシート状に形成されたものである請求項１記載の額縁。
【請求項３】
前記磁性体が金属板である請求項１又は２記載の額縁。
【請求項４】
前記表面板、前記連結部及び前記裏面板が、紙を用いて連続して形成されたものである請求項１、２又は３記載の額縁。
【請求項５】
前記裏面板に、前記表面板及び前記裏面板を起立可能に支持する脚を具備してなる請求項１、２、３又は４記載の額縁。
【請求項６】
前記裏面板に、フック等に掛け止め可能な掛止部を具備してなる請求項１、２、３、４又は５記載の額縁。
【請求項７】
前記磁石及び前記磁性体が、前記表面板及び前記裏面板における前記連結部側の端部と対向する側の端部近傍にそれぞれ配されたものである請求項１、２、３、４、５又は６記載の額縁。
【考案の詳細な説明】
【技術分野】
【０００１】
本考案は、写真類を簡易に表示して飾ることができる額縁に関するものである。
【背景技術】
【０００２】
従来から、写真立て等の額縁には、アクリル板等の透明板を前後面に使用して、写真やカード等を挟んで固定可能にしたものが種々存在する。例えば、特許文献１には、前後面をなす透明板のそれぞれ四隅に前後面を連結するための金属性の連結具を配し、これらの連結具を利用して前面及び後面の透明板を互いに接合するようにして写真類を挟持するものが開示されている。
【特許文献１】実用新案登録第３１２８７６号公報
【考案の開示】
【考案が解決しようとする課題】
【０００３】
前記従来例では、前後面の板が互いに接合できるようにするため、前後面の板の四隅にそれぞれ連結具を配置する必要がある。このため、前後面の板の各部の加工並びに連結具の各部への取り付け作業において煩雑で面倒な一面があった。また、利用者は、前後面の板を連結させるために各板の四隅を対応づけて合わせる作業を強いられるため、作業中に写真類がずれてしまう等の弊害が発生して取扱いが不便な一面があった。
【０００４】
本考案は、このような課題に着目してなされたものであって、主たる目的は、従来よりも簡易に製造することができ、利用者においても極めて容易に写真類を挟んで使用することができる利便性にすぐれた額縁を提供することにある。
【課題を解決するための手段】
【０００５】
すなわち、本考案の額縁は、写真類を表示するための窓を備えた表面板と、この表面板の裏側に配置される裏面板とを連結部により相互に折り曲げ可能に連結してなり、前記表面板と裏面板との間に写真類を挟んで使用する額縁であって、前記表面板と前記裏面板の少なくとも一方に磁石を配し、他方の板における前記磁石と対向する位置に前記磁石と引き合う磁性体を配してなることを特徴とする。
【０００６】
このようなものであれば、表面板と裏面板とを連結部により相互に折り曲げ可能に連結しているため、各板の四隅を精緻に加工する必要が無くなり、額縁を従来よりも極めて簡単に製造することができるものとなる。しかも、連結部を軸心として、表面板と裏面板との間に写真類を極めて簡易且つ正確に挟んで使用することができ、利用者においても利用しやすいものとなる。さらに、表面板と裏面板の少なくとも一方に磁石を配し、他方の板における前記磁石と対向する位置に前記磁石と引き合う磁性体を配してなるものであるので、磁石の吸引力を利用して確実に写真類を挟持することができ、利用者に極めて扱いやすいものとなる。
【０００７】
表面板又は裏面板の所要箇所に磁石を簡単に配置し、且つ、外観上においてもより好適なものとするには、前記磁石がシート状に形成されたものであることが好ましい。
【０００８】
また、前記磁性体が金属板であれば、他方の対向する位置に配された磁石と金属板との引き合いで、写真類を挟持することができ、材料コストを抑制する点で好適である。
【０００９】
更に、前記表面板、前記連結部及び前記裏面板が、紙を用いて連続して形成されたものであれば、第二の目的である材料コストを抑制することに寄与するのみならず、額縁全体の軽量化を図ることができる。従来は、前後面の板の材料にはアクリル板等を使用することが多く、製造コストの削減の要請に必ずしも十分に対応できるものとは言えなかったため、本考案であればかかる不具合を解消することができるものとなる。
【００１０】
また、前記裏面板に、前記表面板及び前記裏面板を起立可能に支持する脚を具備してなるものがあれば、写真立てとして好適に利用できるものとなる。
【００１１】
前記裏面板に、フック等に掛け止め可能な掛止部を具備してなるものであれば、壁面等に適宜配されたフック等を利用して、写真類を飾ることができるものとなる。
【００１２】
前記磁石及び前記磁性体の好適な配置としては、前記磁石及び前記磁性体が、前記表面板及び前記裏面板における前記連結部側の端部と対向する側の端部近傍にそれぞれ配されたものが挙げられる。
【考案の効果】
【００１３】
以上説明したように本考案によれば、従来よりも簡易に製造することができ、利用者においても極めて容易に写真類を挟んで使用することができる利便性にすぐれた額縁を提供することができる。
【考案を実施するための最良の形態】
【００１４】
以下、本考案を額縁（兼写真立て）に適用した場合の一実施形態を、図面を参照して説明する。
【００１５】
本実施形態の額縁Ａは、図１〜図５に示すように、写真類Ｐを表示するための窓１２を備えた表面板１と、この表面板１の裏側に配置された裏面板２と、表面板１と裏面板２とを相互に折り曲げ可能に連結する連結部３とを具備してなり、表面板１と裏面板２の少なくとも一方に磁石Ｊを配し、他方の板における磁石Ｊと対向する位置に磁石Ｊと引き合う磁性体ＪＳを配してなるものである。また、裏面板２には、表面板１及び裏面板２を起立可能に支持する脚４が設けられている。
【００１６】
なお、本実施例では、表面板１に磁石Ｊを配し、裏面板２に磁性体ＪＳを配したものとして説明をする。
【００１７】
表面板１は、材料に厚紙を用いて矩形の枠状に形成された表面板本体１１と、この表面板本体１１の中央の開口部分に透明状のフィルムを配してなる窓１２と、表面板本体１１の裏側における連結部３側の端部と対向する側の端部近傍に配されたシート状の磁石Ｊと、表面板本体１１と略同一形状をなし、磁石Ｊと窓１２を構成するフィルムの外周縁とを覆い隠すように表面板本体１１の裏側に貼着される裏側カバー部材１３とを具備してなる。
【００１８】
表面板本体１１は、材料に一定の強度を担保する厚紙を用いて枠状に形成されたものである。なお、表面板本体１１の表側には外観を良好にするため、必要に応じて化粧紙等によって装飾がされる。
【００１９】
窓１２は、写真類Ｐを表示可能な大きさのものとしている。本実施形態では窓１２が、縦長の矩形状に形成されたものである。もちろん、窓１２の形状は本発明の趣旨を逸脱しない範囲で種々変形が可能である。窓１２には、透明状のフィルムが配されており、このフィルムが写真類Ｐに外部から埃が侵入するのを回避するとともに、写真類Ｐを挟んで保持するために写真類Ｐの前面側を支えている。
【００２０】
磁石Ｊは、他の磁石や金属と引き合うことのできる通常のものであるが、本実施形態では、磁石Ｊをシート状のものとしている。このため、薄板状の表面板１に磁石Ｊを取り付けるに際し、簡単に取り付けることができるようにしている。なお、磁石Ｊは、裏側カバー部材１３によって全体を覆われるため、外観上その存在を確認できなくなり、見栄えの良いものとなっている。
【００２１】
裏側カバー部材１３は、材料に表面板本体１１よりも薄い紙を用いたもので、表面板本体１１と略同一形状をなし、磁石Ｊと窓１２のフィルムの外周縁とを覆い隠すように表面板本体１１の裏側に貼着されるものである。この結果、窓１２のフィルムの裏面側には、裏側カバー部材１３の厚み寸法分の僅かな空間が形成され、写真類を載置しやすいものとなっている。
【００２２】
なお、裏側カバー部材１３と、連結部３たる連結部材３１と、裏面板２の表側カバー部材２３とは、紙を用いて連続して形成されたものとしている。裏面板２及び連結部３については、後で詳述する。
【００２３】
裏面板２は、材料に一定の強度を担保する厚紙を用いてなる板状の裏面板本体２１と、裏面板本体２１の裏側（写真が位置する側の逆側）に設けられた補助板２２と、表面板本体２１の表側（写真が位置する側）における連結部３側の端部と対向する側の端部近傍に配されたシート状の磁性体ＪＳと、磁性体ＪＳを被覆して裏面板本体２１の表側（写真が位置する側）に設けられた表側カバー部材２３とを具備してなるものである。また、裏面板２の上端側の中央部分には、一部を凹ませて形成された指掛け部Ｙが設けられている。
【００２４】
裏面板本体２１は、厚紙により矩形状に形成されたもので、指掛け部Ｙを形成するべく裏面板本体２１の上端部を一部凹ませた形状としている。また、裏面板本体２１の面中央部のやや下端側に位置する箇所に、脚４を構成する脚本体起立片４１を支持するための支持用切起片４２を設けている。支持用切起片４２は、裏面板本体２１と一体に形成されたものである。なお、支持用切起片４２の先端部には、後述する脚本体切起片４１の係合孔４１１と係合し得るように、凹み部４２１を形成している。
【００２５】
補助板２２は、厚紙を用いて裏面板本体２１の裏側に添設させた略矩形状をなすもので、裏面板本体２１と同様に指掛け部Ｙを形成するべく、補助板２２の上端部を一部凹ませた形状としている。補助板２２は、裏面板本体２１の剛性を向上させるとともに、表面板１や裏面板２等を起立させたり、壁面に掛けられるようにしたりする為の各部材を配してなる。より具体的に、補助板２２は、中央部から下端側にかけて切り込みを入れて形成され、脚４を構成する脚本体切起片４１と、壁面等に設けられたフック等に掛けられるようにするための掛止部たる掛止切起片２２１とが形成されている。
【００２６】
脚本体切起片４１は、脚４を構成する正面視略ベース形状をなすもので、表面板１及び裏面板２を縦長又は横長の状態で任意に起立させることができるようにしている。また、脚本体切起片４１の中央部には、支持用切起片４２の端部が係合できるように略矩形状の係合孔４１１が設けられている。なお、脚本体切起片４１は、補助板２２と一体に形成されたものとしている。脚本体切起片４１及び裏面板本体２１の支持用切起片４２は、使用しない場合には各片を起こさなければよいので、別途の部材を必要に応じて取り付けるような必要がない。
【００２７】
掛止用切起片２２１は、矩形状の孔の一端側から略半円状に突出した形状をなすもので、略半円状に突出した部分の中央部にはフック等に引っ掛けることができるように、円い孔が形成されている。前述の脚４と同様に、使用しない場合には、片を起こさなければよいので、別途の部材を必要に応じて取り付けるような必要がない。また、掛止用切起片２２１は、表面板１及び裏面板２を縦長又は横長の状態で任意に壁面等に掛止可能なように、略矩形状をなす補助部２２の長手側端部の中央部近傍及び短手側端部の中央部近傍にそれぞれ形成させたものとしている。
【００２８】
磁性体ＪＳは、磁石Ｊと引き合うことができるものであり、磁石Ｊと対向する位置に配されるものである。磁性体ＪＳは、磁化する物質であればよいので、金属など種々のものが適用できる。なお、本実施形態では、磁性体ＪＳとして、シート状に形成された金属板ＪＳ１を用いたものとしている。このため、薄板状の裏面板２に金属板ＪＳ１を取り付けるに際し、簡単に取り付けることができるようにしている。なお、金属板ＪＳ１は、表側カバー部材２３により全体を覆われるため、外観上その存在を確認できなくなり、極めて見栄えの良いものとなっている。
【００２９】
表側カバー部材２３は、金属板ＪＳ１を被覆して裏面板本体２１の表側に貼着される矩形状の紙製の部材であり、裏面板本体２１と同様に指掛け部Ｙを形成するべく、表側カバー部材２３の上端部を一部凹ませた形状としている。また、表側カバー部材２３の所要箇所には、裏面板本体２１に備えられた支持用切起片４２を押し上げるのに便宜となる円い孔２３１が形成されている。表側カバー部材２３は、写真類Ｐの裏面を支持する面をなすとともに、裏面板本体２１の剛性を向上させる機能をも営むものである。
【００３０】
連結部３は、表面板１と裏面板２とを相互に折り曲げ可能に連結する軸心としての機能を営むもので、紙製の連結部材３１を主体に形成されている。詳述すると、連結部材３１は、裏側カバー部材１３と、表側カバー部材２３との間に介在するもので、裏側カバー部材１３と表側カバー部材２３とを相互に折り曲げ可能に連結するものである。なお、本実施形態では、裏側カバー部材１３と表側カバー部材２３の各面同士を向かい合わせた際に形成される折り目部分を連結部材３１としている。
【００３１】
しかして、本考案に係る額縁Ａは、表面板１と裏面板２の少なくとも一方に磁石Ｊを配し、他方の板における磁石Ｊと対向する位置に磁石Ｊと引き合う金属板ＪＳ１を配してなるものとしている。このため、表面板１と裏面板２とを磁石Ｊの吸引力を利用して相互に引き寄せて固定することができ、写真類を極めて簡単に挟んで保持することができる。このようなものであるので、利用者には取り扱いが極めて容易であり、写真類を簡単に飾るに際して使い勝手の良いものとなっている。
【００３２】
ここで、磁石Ｊ及び金属板ＪＳ１が、表面板１及び裏面板２における連結部３側の端部と対向する側の端部近傍にそれぞれ配されたものとしているので、軸心をなす連結部から離れた位置を効果的に利用し、磁力を用いて写真類を確実に挟持することができる。
【００３３】
また、磁石Ｊの吸引力を利用するという特性に着目し、磁力の及ぶ範囲で磁石Ｊと金属板ＪＳ１とを離間させて使用することができる。換言すれば、従来の各種連結部材を利用する場合のように、部材同士を直接物理的に接合させる必要がない利点を活用することができる。本実施形態の額縁Ａは、磁石Ｊ及び金属板ＪＳ１の存在を紙により覆い隠してあるので、それぞれが物理的に接合する余地が無いが、表面板１と裏面板２とを磁力で引き合うようにして写真類Ｐを挟持することができるものとしている。
【００３４】
このように、本実施形態に係る額縁は、従来よりも簡易に製造することができ、利用者においても極めて容易に写真類を挟んで使用することができる利便性にすぐれた額縁を提供することができる。
【００３５】
なお、本考案は、以上に詳述した実施形態に限られるものではない。
【００３６】
例えば、磁性体には、金属板に限定されるものではなく、磁化する物質であればどのようなものを用いても良い。
【００３７】
磁石及び磁性体の配置は、本実施例のものと逆転しても良い。また、配置箇所は窓の位置に応じて任意に設定することができる。さらに、配置数も任意に設定でき、複数の磁石及び磁性体を適宜配したものでも良い。
【００３８】
表面板、裏面板及び連結部は、紙を用いたものが製造コストの抑制及び軽量化の観点からは望ましいが、これに限定されるものではない。例えば、樹脂製の素材等も適用することができ、本考案の趣旨を逸脱しない限りでその他種々の素材を適用することが可能である。
【００３９】
写真類とは、写真のほか、絵画、押し花、標本など、薄紙上のもので鑑賞される対象となり得るものであれば、広く該当するのはもちろんのことである。
【００４０】
額縁は、「写真立て」としても機能するものであり、「額縁」とは、写真立てやその他表示パネル類をも包含する概念である。
【００４１】
窓にはフィルムが設けられていなくても良い。また、フィルム素材としては樹脂のみならずガラス等の透明素材を適用することができる。
【００４２】
その他、各部の具体的構成についても上記実施形態に限られるものではなく、本考案の趣旨を逸脱しない範囲で種々変形が可能である。
【図面の簡単な説明】
【００４３】
【図１】本考案の一実施形態である額縁の斜視図。
【図２】同額縁における表面板と裏面板とが離間した状態を示す概略図。
【図３】同額縁の斜視図。
【図４】同額縁の連結部近傍を拡大して示す部分拡大図。
【図５】同額縁の背面図。
【符号の説明】
【００４４】
１…表面板
２…裏面板
３…連結部
Ｐ…写真類
Ｊ…磁石
ＪＳ…磁性体
Ａ…額縁
【図１】
0003147159.tif 000003
【図２】
0003147159.tif 000004
【図３】
0003147159.tif 000005
【図４】
0003147159.tif 000006
【図５】
0003147159.tif 000007